(57)【特許請求の範囲】
【請求項１】
モータ端子を保持するモータ端子ホルダ、このモータ端子ホルダのモータ端子を電気的に接続するブラシホルダ端子部とブラシ機構を有するブラシホルダ、及びこのブラシホルダを保持するハウジングを備え、上記モータ端子ホルダは、上記ブラシホルダとは別体で構成し、このモータ端子ホルダは、上記ブラシホルダを貫通し且つ上記ハウジングに螺入したブラシホルダ取付用ネジの締め付けによって、上記ブラシホルダと共に上記ハウジングに固定し、上記モータ端子ホルダの上記ハウジングと対向する対向面には、上記ブラシホルダ取付用ネジによる締付け時に圧潰される第１リブと、上記ハウジングに固定されるヨークのヨーク取付用ネジによる締付け時に圧潰される第２リブとを設けたことを特徴とする回転電機。 
【請求項２】
上記モータ端子ホルダは、上記ブラシホルダとは別個の絶縁部材で形成され、各種仕様のモータ端子に対応して当該モータ端子を保持可能としたことを特徴とする請求項１に記載の回転電機。
【請求項３】
上記ブラシホルダには、上記ハウジングと対向する対向面に段差部を設けると共に上記モータ端子ホルダには、垂下部を設け、この垂下部を上記段差部に介在させ、且つこの垂下部を上記ブラシホルダと上記ハウジングで挟持したことを特徴とする請求項１又は請求項２に記載の回転電機。
【請求項４】
上記モータ端子ホルダ及び上記ハウジングのいずれか一方に凸部又は凹部を設けると共に、上記モータ端子ホルダ及び上記ハウジングの他方に凹部又は凸部を設け、上記ブラシホルダの上記ハウジングへの組み付け時に、上記凸部と上記凹部を嵌合させることにより上記モータ端子ホルダを上記ハウジングに上記モータ端子がたわむ方向に対し固定したことを特徴とする請求項１〜３のいずれか１項に記載の回転電機。
【発明の詳細な説明】
【技術分野】
【０００１】
この発明は、回転電機の端子部に関するのである。
【背景技術】
【０００２】
従来の回転電機の端子部は、モータ端子をブラシホルダと一体成型した構造にしている（例えば、特許文献１参照）。
【先行技術文献】
【特許文献】
【０００３】
【特許文献１】特開２０１０−１４１９４８号公報
【発明の概要】
【発明が解決しようとする課題】
【０００４】
モータ端子をブラシホルダと一体成型した従来の回転電機では、モータ端子の種類が増えるとブラシホルダ成型の段階から別部品となり、部品の共通化ができなくなる。また、モータ端子を別部品にして、ブラシホルダとモータ端子を単純に溶接した場合、モータ端子のたわみによるモータ端子位置のバラツキが生じる問題があった。
【０００５】
この発明は、かかる問題点を解決するためになされたもので、ブラシホルダの共通化を図り、かつモータ端子のたわみを抑え、モータ端子位置のバラツキを抑制できることを目的としている。
【課題を解決するための手段】
【０００６】
この発明に係わる回転電機は、モータ端子を保持するモータ端子ホルダ、このモータ端子ホルダのモータ端子を電気的に接続するブラシホルダ端子部とブラシ機構を有するブラシホルダ、及びこのブラシホルダを保持するハウジングを備え、上記モータ端子ホルダは、上記ブラシホルダとは別体で構成し、このモータ端子ホルダは、上記ブラシホルダを貫通し且つ上記ハウジングに螺入したブラシホルダ取付用ネジの締め付けによって、上記ブラシホルダと共に上記ハウジングに固定し、上記モータ端子ホルダの上記ハウジングと対向する対向面には、上記ブラシホルダ取付用ネジによる締付け時に圧潰される第１リブと、上記ハウジングに固定されるヨークのヨーク取付用ネジによる締付け時に圧潰される第２リブとを設けたものである。
【発明の効果】
【０００７】
この発明の回転電機によれば、一体成型されていたブラシホルダからモータ端子を切り離すことにより、各種仕様のモータ端子に対しブラシホルダの共通化ができ、かつモータ端子位置のバラツキを抑制できる。
【図面の簡単な説明】
【０００８】
【図１】この発明の実施の形態１における回転電機のモータ端子を示す図で、（ａ）は正面図、（ｂ）は側面図である。
【図２】この発明の実施の形態１における回転電機のモータ端子とモータ端子ホルダの組み立て図で、（ａ）は正面図、（ｂ）は側断面図、（ｃ）は背面図である。
【図３】この発明の実施の形態１における回転電機のブラシホルダを示す図で、（ａ）は正面図、（ｂ）は側断面図、（ｃ）は背面図である。
【図４】この発明の実施の形態１における回転電機のモータ端子とモータ端子ホルダとブラシホルダの組み立て図で、（ａ）は正面図、（ｂ）は側断面図、（ｃ）は背面図である。
【図５】この発明の実施の形態１における回転電機のハウジングのみを示す図で、（ａ）は正面図、（ｂ）は図（ａ）中のＡ−Ａ線を矢印方向に見た側断面図、（ｃ）は背面図である。
【図６】この発明の実施の形態１における回転電機のハウジングにブラシホルダをブラシホルダ取付用ネジで固定した状態を示す図で、（ａ）は側断面図、（ｂ）は背面図である。
【図７】この発明の実施の形態１における回転電機のハウジングにヨークをヨーク取付用ネジで固定した状態を示す図で、（ａ）は正面図、（ｂ）は側断面図、（ｃ）は背面図である。
【図８】この発明の実施の形態２における回転電機のモータ端子とモータ端子ホルダの組み立て図で、（ａ）は正面図、（ｂ）は側断面図、（ｃ）は背面図である。
【図９】この発明の実施の形態２における回転電機のブラシホルダを示す図で、（ａ）は正面図、（ｂ）は側断面図、（ｃ）は背面図である。
【図１０】この発明の実施の形態２における回転電機のモータ端子とモータ端子ホルダとブラシホルダの組み立て図で、（ａ）は正面図、（ｂ）は側断面図、（ｃ）は背面図である。
【図１１】この発明の実施の形態２における回転電機のハウジングのみを示す図で、（ａ）は側断面図、（ｂ）は背面図である。
【図１２】この発明の実施の形態２における回転電機のハウジングにブラシホルダをブラシホルダ取付用ネジで固定した状態を示す図で、（ａ）は背面図、（ｂ）は図（ａ）中のＢ−Ｂ線を矢印方向に見た側断面図である。
【図１３】この発明の実施の形態２における回転電機のハウジングにヨークをヨーク取付用ネジで固定した状態を示す図で、（ａ）は正面図、（ｂ）は側断面図、（ｃ）は背面図である。
【図１４】この発明の実施の形態２における回転電機のモータ端子とモータ端子ホルダとの変形例を示す図で、（ａ）は正面図、（ｂ）は側断面図、（ｃ）は背面図である。
【図１５】この発明の実施の形態２における回転電機のハウジングの変形例を示す図で、（ａ）は側断面図、（ｂ）は背面図である。
【図１６】この発明の実施の形態２における回転電機の変形例を示す図で、回転電機のハウジングにブラシホルダをブラシホルダ取付用ネジで固定した状態を示し、（ａ）は側断面図、（ｂ）は背面図である。
【発明を実施するための形態】
【０００９】
以下、図面に基づいて、この発明の各実施の形態を説明する。
なお、各図間において、同一符号は同一あるいは相当部分を示す。
【００１０】
実施の形態１
図１〜図７に基づいて実施の形態１における回転電機の端子部を説明する。
実施の形態１における回転電機の端子部は、モータ端子１を絶縁保持するモータ端子ホルダ２、モータ端子１を電気的に接続するブラシホルダ端子部３ａとブラシ機構（図示せず）を有するブラシホルダ３、及びこのブラシホルダ３を保持するハウジング４によって構成されている。
【００１１】
図１に示すモータ端子１は、ブラシホルダ３と接合する接合部１ａを有し、この接合部１ａを、モータ端子ホルダ２の挿入孔２ｅに挿入することにより図２に示す保持状態となる。
モータ端子ホルダ２は、ブラシホルダ３とは別個の絶縁部材で新に形成され、各種仕様のモータ端子１に対応して当該モータ端子を保持可能とした構成になされている。
モータ端子１の接合部１ａは、図３に示すブラシホルダ３のブラシホルダ端子部３ａに、溶接される。この溶接によってモータ端子１とモータ端子ホルダ２は、ブラシホルダ３に機械的、電気的に接合され、図４に示す組み立て状態となり、電気回路を構成した従来の一体成型ブラシホルダと同じ機能を担う部品となる。
【００１２】
さらに、モータ端子ホルダ２は、図５、図６に示すように軸受部４ｆを有するハウジング４にブラシホルダ３を組み付ける際に、ブラシホルダ３とハウジング４で挟持、固定される。
すなわち、モータ端子ホルダ２の挟持、固定（ブラシホルダ３とハウジング４による）は、ブラシホルダ３の貫通孔３ｂを貫通すると共にハウジング４のネジ孔４ａに螺入したブラシホルダ取付用ネジ５の締め付けによって行なわれるが、さらに詳しくは、モータ端子ホルダ２の下面に設けた垂下部２ｆを、ブラシホルダ３の切欠状段差部３ｃに介在させ、且つこの垂下部２ｆを切欠状段差部３ｃの垂直面とハウジング４間で挟持することにより行われている。
なお、ブラシホルダ３の切欠状段差部３ｃは、貫通孔３ｂにおいてハウジング４と対向する対向側に設けたものである。
また、上記のように構成することにより、モータ端子ホルダ２は、ブラシホルダ取付用ネジ５でブラシホルダ３をハウジング４に取付ける際、同時に固定できるので新たな部品を必要とすることがない。
【００１３】
また、モータ端子ホルダ２には、ハウジング４と対向する側に第１リブ２ａと第２リブ２ｂが形成されている。
第１リブ２ａは、モータ端子ホルダ２の垂下部２ｆに、ハウジング４に向かって突出するよう設けられ、この第１リブ２ａは、ハウジング４のネジ孔４ａでブラシホルダ取付用ネジ５を締めブラシホルダ３が固定される際に、ハウジング４とブラシホルダ取付用ネジ５の締結力によって圧潰される。そしてモータ端子ホルダ２は、第１リブ２ａが潰れた状態でハウジング４に固定される。
また、第２リブ２ｂは、モータ端子ホルダ２の凹部２ｇに、ハウジング４の凸部４ｃと対向して設けられ、この第２リブ２ｂは、図７に示すように、透孔６ａを通しヨーク取付用ネジ孔４ｂにねじ込まれたヨーク取付用ネジ７でヨーク６が固定された際に、凸部４ｃで押圧されヨーク取付用ネジ７の締結力によって圧潰される。そしてヨーク６は、第２リブ２ｂが潰れた状態でハウジング４に固定される。なお、透孔６ａはヨークに設けたもの、ヨーク取付用ネジ孔４ｂはハウジング４に設けたものである。
【００１４】
上記のように構成されたモータ端子構造においては、ハウジング４にヨーク６をヨーク取付用ネジ７で固定する際の締結力により、モータ端子ホルダ２を介し、モータ端子１が接合部１ａの箇所からハウジング４側へたわもうとするが、モータ端子ホルダ２がブラシホルダ取付用ネジ５の締め付けでハウジング４とブラシホルダの切欠状段差部３ｃ間にはさまれ、たわみ方向に対して固定されているため、モータ端子１とブラシホルダ３との溶接によって生じる、モータ端子１のたわみによるモータ端子位置のバラツキを抑制することができる。
【００１５】
さらに、モータ端子ホルダ２に加わるハウジング４とヨーク取付用ネジ７の締結力は、モータ端子ホルダ２に設けている第２リブ２ｂが潰れることにより吸収され、上記のように構成することによってモータ端子１とモータ端子ホルダ２とブラシホルダ３とを一体化できるので、従来のモータ端子を一体成型したブラシホルダと変わりのないブラシホルダが得られるものである。
また、ブラシホルダとモータ端子を一体成型した従来品に比べ、モータ端子をブラシホルダから切り離した分割型にできるので、ブラシホルダの共通化が可能になる。
【００１６】
実施の形態２．
図１、図８〜図１３に基づいて実施の形態２における回転電機の端子部を説明する。
実施の形態２における回転電機の端子部は、モータ端子ホルダ２及びハウジング４のいずれか一方に凸部２ｃ（図８、図１０参照）または凹部（図示せず）を設けると共に、モータ端子ホルダ２及びハウジングの他方に凹部４ｄ（図１１参照）または凸部（図示せず）を設け、ブラシホルダ３のハウジング４への組み付け時に、凸部２ｃと凹部４ｄを図１２に示すように嵌合させることによりモータ端子ホルダ２をハウジング４に固定したものである。
【００１７】
以下、回転電機の端子部の構成を順次説明する。
まず、図１のモータ端子１が、モータ端子ホルダ２へ挿入され図８の状態となる。次に、図９のブラシホルダ３のブラシホルダ端子部３aの箇所で、モータ端子１の接合部１ａが
溶接により接合されて図１０の状態となり、実施の形態１と同様に一体成型ブラシホルダと同じ機能を担う部品となる。
【００１８】
ここから、ハウジング４のネジ孔４ａにブラシホルダ取付用ネジ５を螺入し、図６と同様にブラシホルダ３を固定する。すなわち、ブラシホルダ３の貫通孔３ｂにブラシホルダ取付用ネジ５を通し、ハウジング４のネジ孔４ａでブラシホルダ取付用ネジ５を締めブラシホルダ３が固定される。この時同時に、モータ端子ホルダ２に設けた凸部２ｃ（図１０）が、ハウジング４に設けた凹部４ｄ（図１１）に図１２に示すように嵌合する。また、図１３に示すように、ヨーク６は、ヨーク６の透孔６ａを挿通しハウジング４のヨーク取付用ネジ孔４ｂに螺入したヨーク取付用ネジ７によって固定されており、この間に、モータ端子ホルダ２の第２リブ２ｂがハウジング４の凸部４ｃによって潰され、はさまれている。
【００１９】
このように構成されたモータ端子構造においては、ハウジング４にヨーク６をヨーク取付用ネジ７で固定する際の締結力により、モータ端子ホルダ２を介し、モータ端子１が接合部１ａの箇所からハウジング４側へたわもうとするが、モータ端子ホルダ２が凸部２ｃでハウジングの凹部４ｄに嵌合しており、たわみ方向に対して固定されているため、モータ端子１とブラシホルダ３との溶接によって生じる、モータ端子１のたわみによるモータ端子位置のバラツキを抑制することができる。
さらに、モータ端子ホルダ２に加わるハウジング４とヨーク取付用ネジ７の締結力は、モータ端子ホルダ２に設けている第２リブ２ｂが潰れることにより吸収され、上記のように構成することによってモータ端子１とモータ端子ホルダ２とブラシホルダ３とを一体化できるので、従来のモータ端子を一体成型したブラシホルダと変わりのないブラシホルダが得られるものである。
また、ブラシホルダとモータ端子を一体成型した従来品に比べ、モータ端子１をブラシホルダ３から切り離した分割型にできるので、ブラシホルダの共通化が可能になる。
【００２０】
モータ端子１のたわみの抑制は、モータ端子ホルダ２とハウジング４のみにて実施（モータ端子ホルダ２とハウジング４との凹凸部嵌合）するため、一体成型ブラシホルダと変わらないブラシホルダの組付け性となる効果がある。
【００２１】
図８〜図１３の実施の形態２においては、モータ端子ホルダ２の固定は、凸部２ｃとハウジングの凹部４ｄとの嵌合で実施しているが、図１４〜図１６の変形例によってもモータ端子ホルダ２の固定を実施できる。  すなわち、図１４、図１５、図１６に示すように、図１４のモータ端子ホルダの角部２ｄ（図８の２ｃに相当）を、図１５のハウジングの凹部４ｄ１（４ｃと４ｅによって形成された部分）に嵌合させ、また図１５のハウジングの凸部４ｃを第２リブ２ｂのあるモータ端子ホルダの凹部２ｇ（図２（ｂ）、図１４（ａ）（ｂ）参照）に嵌合させることによって、モータ端子１が，接合部１ａを中心に回転、たわもうとしても上記の嵌合箇所でモータ端子ホルダ２が固定されるため、モータ端子１がたわむことはない。
【００２２】
なお、この発明は、その発明の範囲内において、各実施の形態を適宜、変形、省略することが可能である。
【符号の説明】
【００２３】
１    モータ端子
１ａ  モータ端子の接合部
２    モータ端子ホルダ
２ａ  モータ端子ホルダの第１リブ（リブ部）
２ｂ  モータ端子ホルダの第２リブ（リブ部）
２ｃ  モータ端子ホルダの凸部
２ｄ  モータ端子ホルダの角部
２ｅ  モータ端子挿入部
２ｆ  モータ端子ホルダの垂下部
２ｇ  モータ端子ホルダの凹部
３    ブラシホルダ
３ａ  ブラシホルダ端子部
３ｂ  ブラシホルダの貫通孔
３ｃ  ブラシホルダの切欠状段差部
４    ハウジング
４ａ  ハウジングのネジ孔
４ｂ  ハウジングのヨーク取付用ネジ孔
４ｃ  ハウジングの凸部
４ｄ、４ｄ１  ハウジングの凹部
４ｅ  ハウジングの凸部
４ｆ  軸受部
５  ブラシホルダ取付用ネジ
６  ヨーク
６ａ  ヨークの透孔
７  ヨーク取付用ネジ。
【図１】
0005506858.tif 000002
【図２】
0005506858.tif 000003
【図３】
0005506858.tif 000004
【図４】
0005506858.tif 000005
【図５】
0005506858.tif 000006
【図６】
0005506858.tif 000007
【図７】
0005506858.tif 000008
【図８】
0005506858.tif 000009
【図９】
0005506858.tif 000010
【図１０】
0005506858.tif 000011
【図１１】
0005506858.tif 000012
【図１２】
0005506858.tif 000013
【図１３】
0005506858.tif 000014
【図１４】
0005506858.tif 000015
【図１５】
0005506858.tif 000016
【図１６】
0005506858.tif 000017